(57)【要約】【課題】低コストで高速に超高精細画像を表示することができるディスプレイを提供すること。【解決手段】超高精細投射型ディスプレイ１０は、レーザ光走査駆動装置１１と、レンズ１２と、レーザ光による画像が記録される熱書込型液晶パネル１３と、カラーフィルタＲ１４、カラーフィルタＧ１５及びカラーフィルタＢ１６と、ミラー１７ａ及び１７ｂと、ハーフミラー１８ａ〜１８ｃと、ランプ１９と、レンズ２０と、スクリーン２１とを備え、熱書込型液晶パネル１３は、基板１３ａと、基板１３ａ上に形成された熱吸収層１３ｂと、熱吸収層１３ｂ上に形成された反射電極１３ｃと、反射電極１３ｃ上に形成された配向膜１３ｄと、基板１３ｅと、基板１３ｅ上に形成された透明電極１３ｆと、透明電極１３ｆ上に形成された配向膜１３ｇと、配向膜１３ｄと配向膜１３ｇとに挟まれた液晶材１３ｈとを備える。【選択図】図１
2007163623.tif 000002
【特許請求の範囲】
【請求項１】
第１の光を透過する第１基板と、第２の光を透過する第２基板と、前記第１基板から前記第２基板に向かう方向に順次設けられた第１電極、液晶材及び第２電極とを備え、
前記液晶材は、前記第１基板側から入射される前記第１の光によって配向が変化する液晶分子を含み、前記第１電極及び前記第２電極のいずれか一方は、ストライプ状に形成されたストライプ状電極であり、前記第１電極及び前記第２電極のいずれか他方は、ベタ状に形成されたベタ状電極であることを特徴とする空間光変調素子。
【請求項２】
前記第１基板と前記第１電極との間に設けられ、前記第１の光の熱を吸収する熱吸収層を備え、
前記第１電極は、前記第２基板側から入射される前記第２の光を反射する反射電極であり、前記第２電極は、前記第２の光を透過する透明電極であり、前記液晶分子は、前記第１の光の熱によって配向が変化することを特徴とする請求項１に記載の空間光変調素子。
【請求項３】
前記第１電極と前記液晶材との間に設けられ、前記第１の光を吸収すると抵抗値が変化する光導電層と、この光導電層と前記液晶材との間に設けられ、前記第２基板側から入射される前記第２の光を反射する光反射膜とを備え、
前記第１電極は、前記第１の光を透過する透明電極であり、前記第２電極は、前記第２の光を透過する透明電極であることを特徴とする請求項１に記載の空間光変調素子。
【請求項４】
請求項１から請求項３までのいずれか１項に記載の空間光変調素子に入射される前記第１の光を出力する光出力部と、前記第１の光をライン状に集束する光集束部とを備え、前記光集束部は、前記ストライプ状電極の延在方向と略直交する方向に前記第１の光をライン状に集束することを特徴とする空間光変調素子の駆動装置。
【請求項５】
前記ストライプ状電極の延在方向に前記光出力部を移動する光出力移動部を備え、前記光集束部によってライン状に集束された前記第１の光を前記第１基板側から照射して前記第１基板上を走査することを特徴とする請求項４に記載の空間光変調素子の駆動装置。
【請求項６】
前記光出力部によって出力された前記第１の光を反射するミラーと、このミラーが前記第１の光を反射する反射角度を制御するミラー制御部と、前記ミラーによって反射された前記第１の光をライン状に集束する光集束部とを備え、前記光集束部によってライン状に集束された前記第１の光を前記第１基板側から照射して前記第１基板上を走査することを特徴とする請求項４に記載の空間光変調素子の駆動装置。
【請求項７】
請求項１から請求項３までのいずれか１項に記載の空間光変調素子と、この空間光変調素子に照射される前記第２の光を生成する光生成装置と、請求項４から請求項６までのいずれか１項に記載の空間光変調素子の駆動装置とを備えたことを特徴とするディスプレイ。
【請求項８】
前記光生成装置は、前記第２の光として所定波長のレーザ光を生成し、立体画像を表示することを特徴とする請求項７に記載のディスプレイ。
【請求項９】
ストライプ状に形成されたストライプ状電極とベタ状に形成されたベタ状電極との間に液晶材を備えた空間光変調素子に対し、前記ストライプ状電極及び前記ベタ状電極のいずれか一方から前記ストライプ状電極の延在方向と略直交する方向に光をライン状に集束して走査する工程を含むことを特徴とする空間光変調素子の駆動方法。
【発明の詳細な説明】
【技術分野】
【０００１】
本発明は、例えばレーザ光による熱書込み又は光書込みによって画像を表示する空間光変調素子、空間光変調素子の駆動装置、ディスプレイ及び空間光変調素子の駆動方法に関する。
【背景技術】
【０００２】
従来、液晶パネルの高精細化が進んでおり、空間光変調素子やディスプレイとして用いられている。最近では、走査線が４０００本級の超高精細ディスプレイや、ホログラフィックディスプレイが求められており、液晶パネルの更なる高精細化が必要とされている。
【０００３】
液晶パネルのうち、アクティブマトリックス型液晶パネルでは、各画素にＴＦＴ（Ｔｈｉｎ  Ｆｉｌｍ  Ｔｒａｎｓｉｓｔｏｒ）やＦＥＴ（Ｆｉｅｌｄ  Ｅｆｆｅｃｔ  Ｔｒａｎｓｉｓｔｏｒ）等のアクティブ素子が設けられており、アクティブ素子をスイッチング動作させて点灯する画素のアドレスを定めることによって画像を表示するようになっている。したがって、アクティブマトリックス型液晶パネルでは、アクティブ素子を設けるスペースが画素毎に必要となるので、更なる高精細化が困難となっている。
【０００４】
これに対して、レーザ光を用いて高精細化を図ることを目的とした熱書込型液晶パネルが提案されている（例えば、非特許文献１参照。）。また、熱書込型液晶パネルを空間光変調素子として用いたディスプレイが提案されている（例えば、特許文献１及び２参照。）。
【０００５】
まず、非特許文献１に示された熱書込型液晶パネルは、図７に示すような構成となっている。すなわち、記録側の基板１に順次積層された熱吸収層２、反射電極３及び配向膜４と、再生側の基板５に順次積層された透明電極６及び配向膜７と、配向膜４と配向膜７とに挟まれた液晶材８とを備えている。
【０００６】
この熱書込型液晶パネルは、はじめに記録側からレーザ光が照射され液晶材８の微小領域が熱せられる。レーザ光が移動することにより熱せられた領域は冷却されるが、その冷却時に反射電極３と透明電極６との間に電圧が印加され液晶材８の透過率が制御されることにより、画像データの記録が行われる。透明電極６は液晶材８の全面に亘って形成されているため、画像データの書込みはラスタ走査で行われる。すなわち、レーザ光を液晶材８の垂直方向に走査した後、水平方向に液晶材８の位置を画素ピッチ分だけ移動し、そして垂直方向に走査するという動作を繰り返し、その間に反射電極３と透明電極６との間に電圧が印加されて画像データが記録されるようになっている。
【０００７】
次に、特許文献１に示されたディスプレイは、レーザダイオードと、液晶セルと、レーザダイオードの出力パワー密度のデータを格納するＲＯＭと、スクリーンとを備え、レーザダイオードで液晶セルに熱書込みをする際に、線幅一定な線分がスクリーンに描画できるようになっている。
【０００８】
また、特許文献２に示されたディスプレイは、書込み用及び消去用の半導体レーザと、光走査装置と、空間光変調素子としての表示部材と、スクリーンとを備え、複数本のレーザビームで同時に走査することによって、ラスタ走査するものよりも高速で画像をスクリーンに描画できるようになっている。
【０００９】
【非特許文献１】Ｔ．Ｉｎｏｕｅ  ａｎｄ  Ｓ．Ｍｉｋｏｓｈｉｂａ，「Ｈｉｇｈ  Ｄｅｎｓｉｔｙ  Ｒｅｃｏｒｄｉｎｇ  ｏｎ  Ｔｈｅｒｍａｌｌｙ  Ａｄｄｒｅｓｓａｂｌｅ  Ｌｉｑｕｉｄ  Ｃｒｙｓｔａｌ  ｆｏｒ  Ｔｈｒｅｅ−Ｄｉｍｅｎｓｉｏｎａｌ  Ｈｏｌｏｇｒａｐｈｉｃ  Ｄｉｓｐｌａｙ」，Ｊａｎ．  Ｊ．Ａｐｐｌ．Ｐｈｙｓ．，Ｖｏｌ．３８，Ｎｏ．１２Ａ，ｐｐ．６５７５−６７６１，１９９９
【特許文献１】特開平５−６６３７４号公報（第４頁、第１図）
【特許文献２】特開平５−８８１３７号公報（第３−４頁、第１図）
【発明の開示】
【発明が解決しようとする課題】
【００１０】
しかしながら、非特許文献１に示された熱書込型液晶パネル及び特許文献１に示されたディスプレイでは、ラスタ走査で画像を表示する構成なので、超高精細ディスプレイやホログラフィックディスプレイ等のように走査線本数が大幅に増加した高画素密度のディスプレイに適用しようとすると走査時間が増大してしまい、動画像をリアルタイムで表示できないという問題があった。
【００１１】
また、特許文献２に示されたディスプレイでは、書込み用及び消去用の半導体レーザを用いる構成なので、画像データを書込み及び消去するための光学系の構成が複雑になり製造コストが増大するという問題があった。
【００１２】
本発明は、このような問題を解決するためになされたものであり、従来のものよりも低コストで高速に超高精細画像を表示することができる空間光変調素子、空間光変調素子の駆動装置、ディスプレイ及び空間光変調素子の駆動方法を提供するものである。
【課題を解決するための手段】
【００１３】
本発明の空間光変調素子は、第１の光を透過する第１基板と、第２の光を透過する第２基板と、前記第１基板から前記第２基板に向かう方向に順次設けられた第１電極、液晶材及び第２電極とを備え、前記液晶材は、前記第１基板側から入射される前記第１の光によって配向が変化する液晶分子を含み、前記第１電極及び前記第２電極のいずれか一方は、ストライプ状に形成されたストライプ状電極であり、前記第１電極及び前記第２電極のいずれか他方は、ベタ状に形成されたベタ状電極である構成を有している。
【００１４】
この構成により、本発明の空間光変調素子は、ストライプ状電極とベタ状電極との間に画像データ電圧を印加し、ストライプ状電極の延在方向と略直交する方向に第１の光をライン状に集束させて液晶材の液晶分子の配向を制御しながら第１基板側を走査し、第２の光によって画像を再生することができ、また、ストライプ状電極の各幅及び間隔を微細化することにより画素間隔を小さくすることができるので、ラスタ走査する従来のものよりも低コストで高速に超高精細画像を表示することができる。
【００１５】
また、本発明の空間光変調素子は、前記第１基板と前記第１電極との間に設けられ、前記第１の光の熱を吸収する熱吸収層を備え、前記第１電極は、前記第２基板側から入射される前記第２の光を反射する反射電極であり、前記第２電極は、前記第２の光を透過する透明電極であり、前記液晶分子は、前記第１の光の熱によって配向が変化する構成を有している。
【００１６】
この構成により、本発明の空間光変調素子は、ストライプ状電極とベタ状電極との間に画像データ電圧を印加し、ストライプ状電極の延在方向と略直交する方向に第１の光をライン状に熱吸収層に集束させ、熱吸収層で光熱変換された熱によって液晶材の液晶分子の配向を制御しながら第１基板側を走査し、第２の光によって画像を再生することができ、また、ストライプ状電極の各幅及び間隔を微細化することにより画素間隔を小さくすることができるので、ラスタ走査する従来のものよりも低コストで高速に超高精細画像を表示することができる。
【００１７】
さらに、本発明の空間光変調素子は、前記第１電極と前記液晶材との間に設けられ、前記第１の光を吸収すると抵抗値が変化する光導電層と、この光導電層と前記液晶材との間に設けられ、前記第２基板側から入射される前記第２の光を反射する光反射膜とを備え、前記第１電極は、前記第１の光を透過する透明電極であり、前記第２電極は、前記第２の光を透過する透明電極である構成を有している。
【００１８】
この構成により、本発明の空間光変調素子は、ストライプ状電極とベタ状電極との間に画像データ電圧を印加し、ストライプ状電極の延在方向と略直交する方向に第１の光をライン状に光導電層に集束させ、集束された光によって光導電層の抵抗値が下がり液晶材に電圧が印加されることにより液晶分子の配向を制御しながら第１基板側を走査し、第２の光によって画像を再生することができ、また、ストライプ状電極の各幅及び間隔を微細化することにより画素間隔を小さくすることができるので、ラスタ走査する従来のものよりも低コストで高速に超高精細画像を表示することができる。
【００１９】
本発明の空間光変調素子の駆動装置は、空間光変調素子に入射される前記第１の光を出力する光出力部と、前記第１の光をライン状に集束する光集束部とを備え、前記光集束部は、前記ストライプ状電極の延在方向と略直交する方向に前記第１の光をライン状に集束する構成を有している。
【００２０】
この構成により、本発明の空間光変調素子の駆動装置は、光集束部が、ストライプ状電極の延在方向と略直交する方向に第１の光をライン状に集束するので、ライン状の第１の光が照射される領域に対応する液晶材の領域に含まれる液晶分子の配向をライン状に制御することができ、従来のものよりも高速に高密度画像データを液晶材に記録することができる。
【００２１】
また、本発明の空間光変調素子の駆動装置は、前記ストライプ状電極の延在方向に前記光出力部を移動する光出力移動部を備え、前記光集束部によってライン状に集束された前記第１の光を前記第１基板側から照射して前記第１基板上を走査する構成を有している。
【００２２】
この構成により、本発明の空間光変調素子の駆動装置は、光出力移動部が、ストライプ状電極の延在方向に光出力部を移動するので、従来のものよりも走査時間を短縮することができる。
【００２３】
さらに、本発明の空間光変調素子の駆動装置は、前記光出力部によって出力された前記第１の光を反射するミラーと、前記ミラーが前記第１の光を反射する反射角度を制御するミラー制御部と、前記ミラーによって反射された前記第１の光をライン状に集束する光集束部とを備え、前記光集束部によってライン状に集束された前記第１の光を前記第１基板側から照射して前記第１基板上を走査する構成を有している。
【００２４】
この構成により、本発明の空間光変調素子の駆動装置は、ミラー制御部が、第１の光を反射する反射角度を制御し、光集束部が、ミラーによって反射された第１の光をライン状に集束するので、従来のものよりも走査時間を短縮することができる。
【００２５】
本発明のディスプレイは、空間光変調素子と、前記空間光変調素子に照射される前記第２の光を生成する光生成装置と、空間光変調素子の駆動装置とを備えた構成を有している。
【００２６】
この構成により、本発明のディスプレイは、第１の光又は第１の光が光熱変換された熱によって、従来のものよりも低コストで高速に高密度画像データを液晶材に記録し、第２の光によって高速に超高精細画像を再生することができる。
【００２７】
また、本発明のディスプレイは、前記光生成装置が、前記第２の光として所定波長のレーザ光を生成し、立体画像を表示する構成を有している。
【００２８】
この構成により、本発明のディスプレイは、第１の光又は第１の光が光熱変換された熱によって、従来のものよりも低コストで高速に高密度な立体的画像データを液晶材に記録し、レーザ光によって高速に立体的な超高精細画像を再生することができる。
【００２９】
本発明の空間光変調素子の駆動方法は、ストライプ状に形成されたストライプ状電極とベタ状に形成されたベタ状電極との間に液晶材を備えた空間光変調素子に対し、前記ストライプ状電極及び前記ベタ状電極のいずれか一方から前記ストライプ状電極の延在方向と略直交する方向に光をライン状に集束して走査する工程を含む構成を有している。
【００３０】
この構成により、本発明の空間光変調素子の駆動方法は、ストライプ状電極の延在方向と略直交する方向に光をライン状に集束して走査するので、従来のものよりも走査時間を短縮することができる。
【発明の効果】
【００３１】
本発明は、従来のものよりも低コストで高速に超高精細画像を表示することができるという効果を有する空間光変調素子、空間光変調素子の駆動装置、ディスプレイ及び空間光変調素子の駆動方法を提供することができるものである。
【発明を実施するための最良の形態】
【００３２】
以下、本発明の実施の形態について図面を用いて説明する。
【００３３】
（第１の実施の形態）
まず、本発明の第１の実施の形態のディスプレイの構成について説明する。なお、本発明のディスプレイを超高精細投射型ディスプレイに適用する例を挙げて説明する。ここで超高精細投射型ディスプレイとは、例えばテレビ放送の分野において、従来の高品位テレビ放送で使用されている高精細な映像、例えば画素数１０８０×１９２０で構成された映像よりも更に精細な映像を表示することができる投射型のディスプレイをいい、例えば画素数４３２０×７６８０で構成された映像を表示できるものである。
【００３４】
図１に示すように、本実施の形態の超高精細投射型ディスプレイ１０は、ＲＧＢ（赤緑青）成分の３つの系列毎に設けられた、レーザ光を出射するレーザ光走査駆動装置１１と、レーザ光を集束するレンズ１２と、レーザ光による画像が記録される熱書込型液晶パネル１３と、熱書込型液晶パネル１３から出射される光を赤色、緑色及び青色にそれぞれ分離するカラーフィルタＲ１４、カラーフィルタＧ１５及びカラーフィルタＢ１６とを備えている。
【００３５】
また、超高精細投射型ディスプレイ１０は、ミラー１７ａ及び１７ｂと、ハーフミラー１８ａ〜１８ｃと、熱書込型液晶パネル１３に記録された画像を再生するための白色の再生光を出射するランプ１９と、レンズ２０と、スクリーン２１とを備えている。なお、ミラー１７ａ及び１７ｂ、ハーフミラー１８ａ〜１８ｃに代えて例えばポリゴンミラーで光路を設定する構成としてもよい。なお、ランプ１９は、本発明の光生成装置を構成している。
【００３６】
次に、熱書込型液晶パネル１３の構成について図２を用いて説明する。図２（ａ）は、熱書込型液晶パネル１３の積層方向の断面図、図２（ｂ）は、再生側から見た透明電極１３ｆの模式図、図２（ｃ）は、記録側から見たレーザ光の照射状態を示す模式図である。
【００３７】
なお、図２（ａ）において、画像データを熱書き込みするレーザ光が入射される側を記録側、書き込まれた画像を再生する側を再生側という。また、図２（ａ）〜（ｃ）に示すように熱書込型液晶パネル１３の上端及び下端を定める。さらに、図２（ｂ）において、画像が形成される画素の配列を行及び列で表したとき、行方向を左右方向といい、列方向を上下方向という。
【００３８】
熱書込型液晶パネル１３は、図２（ａ）に示すように、レーザ光が入射される記録側に設けられた透光性を有する基板１３ａと、基板１３ａ上に形成された熱吸収層１３ｂと、熱吸収層１３ｂ上に形成された反射電極１３ｃと、反射電極１３ｃ上に形成された配向膜１３ｄと、再生光が入射される再生側に設けられた透光性を有する基板１３ｅと、基板１３ｅ上に形成された透明電極１３ｆと、透明電極１３ｆ上に形成された配向膜１３ｇと、配向膜１３ｄと配向膜１３ｇとに挟まれた液晶材１３ｈとを備えている。なお、熱書込型液晶パネル１３は、本発明の空間光変調素子を構成している。
【００３９】
基板１３ａは、例えばガラスやプラスチックによって構成され、レーザ光を透過するようになっている。なお、基板１３ａは、本発明の第１基板を構成している。
【００４０】
熱吸収層１３ｂは、例えば酸化クロムで構成され、レーザ光が照射された領域の光エネルギを熱エネルギに変換して熱を吸収するようになっている。
【００４１】
反射電極１３ｃは、例えばアルミニウムやクロム等を材料とした光を反射する金属薄膜がベタ状に成膜されたベタ状電極の構成となっており、基板１３ｅ側から入射されて液晶材１３ｈを透過した再生光を反射するようになっている。なお、ベタ状電極とは、反射電極１３ｃの全面に亘って例えばアルミニウム膜が成膜された電極をいう。また、反射電極１３ｃは、透明電極１３ｆと同等な面積で透明電極１３ｆに対向して設けられており、後述するストライプ状にパターニングされて形成されたデータ電極に対する共通電極にもなっている。また、反射電極１３ｃは、本発明の第１電極を構成している。
【００４２】
配向膜１３ｄ及び配向膜１３ｇは、例えばポリイミドで構成され、液晶材１３ｈ内部の液晶分子を所定の方向に予め配向させるために設けてある。
【００４３】
基板１３ｅは、例えばガラスやプラスチック等によって構成され、ランプ１９から照射された白色の再生光を透過するようになっている。なお、基板１３ｅは、本発明の第２基板を構成している。
【００４４】
透明電極１３ｆは、例えばＩＴＯ（Ｉｎｄｉｕｍ  Ｔｉｎ  Ｏｘｉｄｅ：錫ドープ酸化インジウム）のような透光性を有する電極によって構成されている。この透明電極１３ｆは、図２（ｂ）に示すように、再生側から見て上下方向にストライプ状の複数の電極で構成されている。これらの複数の電極は、画像データが入力されるデータ電極となっており、上下方向に延在している。なお、ストライプ状の複数の電極とは、所定の間隔で互いに平行に形成された複数の電極をいい、これらの複数の電極は電気的に互いに分離されている。なお、透明電極１３ｆは、本発明の第２電極を構成している。
【００４５】
図示を省略したが、ストライプ状に形成された複数のデータ電極には、それぞれ、ＴＦＴやＦＥＴ等のアクティブ素子が接続されており、このアクティブ素子のスイッチング動作によって画像データの電圧パルスが各データ電極に入力されるようになっている。したがって、本実施の形態の熱書込型液晶パネル１３は、アクティブ素子が画素毎に設けられた従来のものよりも、大幅に少ない数のアクティブ素子で透明電極１３ｆを動作させて短時間で画像データの記録及び再生を行うことができる。
【００４６】
また、透明電極１３ｆを構成する各データ電極は、例えば周知のフォトリソグラフィ技術を用いてストライプ状にパターニングして形成することができるので、従来の設備を使用して低コストで容易に透明電極１３ｆを製作することができる。
【００４７】
前述のように透明電極１３ｆはストライプ状に構成されているので、透明電極１３ｆのデータ電極間の幅と各データ電極の幅とを小さくすることにより、左右方向の画素の大きさを容易に精細化することができる。例えば７６８０本のデータ電極をストライプ状に形成すれば、左右方向の画素数を７６８０個とすることができる。
【００４８】
液晶材１３ｈは、例えばスメクチック液晶によって構成されている。スメクチック液晶は、室温において液晶分子の配列が再生光を散乱するスメクチックＡ液晶相となっており、温度が上昇するに従って、ネマチック液晶相を経て等方性液晶相に変化するようになっている。一方、液晶材１３ｈが等方性液晶相の状態にあるとき、反射電極１３ｃと透明電極１３ｆとの間に所定の電圧を印加しながら室温に戻すと、液晶材１３ｈの液晶分子は再生光を透過する配列となる。
【００４９】
すなわち、熱吸収層１３ｂにレーザ光を照射し、スメクチック液晶の温度を上昇させて液晶材１３ｈを等方性液晶相にした後にレーザ光の位置を移動させると、レーザ光が照射された領域が冷却され、反射電極１３ｃを共通電極として透明電極１３ｆに画像データを形成する電圧を印加すれば、レーザ光が照射された領域に対応した液晶材１３ｈの領域に所定の画像を表示するための画素を形成することができる。
【００５０】
前述のように本実施の形態の熱書込型液晶パネル１３は構成されているので、従来のものよりも低コスト且つ短時間で高密度記録を行うことができる。
【００５１】
なお、熱書込型液晶パネル１３に代えて図３に示すような光書込型液晶パネル２５で本実施の形態の超高精細投射型ディスプレイ１０を構成してもよい。図３は、光書込型液晶パネル２５の積層方向の断面図である。
【００５２】
図３において、光書込型液晶パネル２５は、例えばレーザ光が入射される記録側に設けられた透光性を有する基板２５ａと、基板２５ａ上に順次形成された透明電極２５ｂ、光導電層２５ｃ、光反射膜２５ｄ及び配向膜２５ｅと、再生光が入射される再生側に設けられた透光性を有する基板２５ｆと、ストライプ状に形成された複数のデータ電極を有する透明電極２５ｇと、透明電極２５ｇ上に形成された配向膜２５ｈと、配向膜２５ｅと配向膜２５ｈとに挟まれた液晶材２５ｉとを備えている。なお、基板２５ａ及び２５ｆは、それぞれ、本発明の第１基板及び第２基板を構成している。また、透明電極２５ｂ及び２５ｇは、それぞれ、本発明の第１電極及び第２電極を構成している。
【００５３】
ここで、液晶材２５ｉは、例えばポリマー分散液晶で構成され、レーザ光の照射のオン又はオフに応じて液晶分子の配向状態が制御されるようになっている。また、光導電層２５ｃは、基板２５ａから入射される光を吸収することにより抵抗値が下がり、透明電極２５ｂの電圧が液晶材２５ｉに印加されて液晶材２５ｉの配向状態を変化させるようになっている。また、光反射膜２５ｄは、基板２５ｆから入射される再生光を反射するようになっている。その他の構成は、前述の熱書込型液晶パネル１３と同等の構成となっているので、構成の説明を省略する。また、光書込型液晶パネル２５は、本発明の空間光変調素子を構成している。
【００５４】
光書込型液晶パネル２５は、レーザ光が照射されている領域の液晶材２５ｉの配向状態を再生光が透過する方向に変化させることによって画像データを記録し、基板２５ｆ側から入射された再生光を光反射膜２５ｄで反射させて、液晶材２５ｉに記録された画像が再生されるようになっている。一方、レーザ光が照射されていない領域の液晶材２５ｉの配向状態は、再生光が散乱される方向となっている。したがって、透明電極２５ｂのデータ電極間の幅と各データ電極の幅とを小さくすることにより、左右方向の画素の大きさを容易に精細化することができる。
【００５５】
前述のように光書込型液晶パネル２５は構成されているので、従来のものよりも低コスト且つ短時間で高密度記録を行うことができる。
【００５６】
次に、レーザ光走査駆動装置１１について説明する。図４に示すように、レーザ光走査駆動装置１１は、レーザ光を出力するレーザ光出力部１１ａと、レーザ光出力部１１ａを上下方向に移動させるステージ１１ｂとを備えている。なお、図４にはレーザ光走査駆動装置１１を１台のみ示したが、レーザ光走査駆動装置１１は、ＲＧＢ成分の３つの系列毎に設けられ、各熱書込型液晶パネル１３に対し、上下方向の同じ画素位置にレーザ光を同期して出力し、各熱書込型液晶パネル１３を走査するようになっている（図１参照。）。
【００５７】
レーザ光出力部１１ａは、例えば半導体レーザダイオード、ロッドレンズ、シリンドリカルレンズ等を備え、ライン状のレーザ光を出力するようになっている。レーザ光出力部１１ａから出力されたライン状のレーザ光は、レーザ光のライン方向である長軸方向と、ストライプ状に形成された透明電極１３ｆの延在方向とが略直交するように基板１３ａを透過して熱吸収層１３ｂに照射されるようになっている（図２（ｃ）参照。）。なお、レーザ光出力部１１ａは、本発明の光出力部を構成している。
【００５８】
レンズ１２は、レーザ光出力部１１ａから出射されたレーザ光を熱吸収層１３ｂにおいてライン状に集束されるようになっており、熱吸収層１３ｂに照射されたレーザ光の上下方向の幅はレーザダイオードから出射されたレーザ光のスポット径よりも小さくなる。なお、レンズ１２は、本発明の光集束部を構成している。また、レーザ光走査駆動装置１１及びレンズ１２は、本発明の空間光変調素子の駆動装置を構成している。
【００５９】
ステージ１１ｂは、レーザ光出力部１１ａを上下方向に移動させる駆動部（図示省略）を備え、レーザ光出力部１１ａから出力されたライン状のレーザ光が熱書込型液晶パネル１３の上端から下端までの全記録領域を照射するようレーザ光出力部１１ａを上下方向に平行移動させるようになっている。このとき、レーザ光出力部１１ａの上下方向の移動と同期して反射電極１３ｃと透明電極１３ｆ（図２参照。）との間に所定の電圧が印加され、液晶材１３ｈに画像データが記録されるようになっている。なお、ステージ１１ｂは、本発明の光出力移動部を構成している。
【００６０】
具体的には、レーザ光出力部１１ａが平行移動すると、レーザ光が照射されていた熱吸収層１３ｂのライン状の領域は冷却され、冷却された熱吸収層１３ｂの領域と、透明電極１３ｆを構成するストライプ状の複数のデータ電極とが重なる領域にある液晶材１３ｈが画素を形成することとなり、反射電極１３ｃと透明電極１３ｆとの間に所定の電圧が印加されることによって、画像データが液晶材１３ｈに記録される。
【００６１】
したがって、レーザ光の上下方向の移動速度を遅くするほど、又は反射電極１３ｃと透明電極１３ｆとの間に印加されるデータ電圧パルスの幅を狭くするほど、上下方向の画素の大きさを精細にすることができる。
【００６２】
なお、図４に示されたレーザ光走査駆動装置１１は、固定された熱書込型液晶パネル１３に対してレーザ光を走査する構成となっているが、レーザ光出力部１１ａを固定して熱書込型液晶パネル１３を移動させる構成としてもよい。
【００６３】
また、レーザ光走査駆動装置１１に代えて図５に示すようなレーザ光走査駆動装置２７で本実施の形態の超高精細投射型ディスプレイ１０を構成してもよい。
【００６４】
図５において、レーザ光走査駆動装置２７は、レーザ光を出力するレーザ光出力部２７ａと、レーザ光を反射するミラー２７ｂと、ミラー２７ｂを保持しながらミラー２７ｂの角速度を制御するミラー制御部２７ｃとを備えている。
【００６５】
レーザ光出力部２７ａは、前述のレーザ光出力部１１ａと同様に構成され、ライン状のレーザ光を出力するようになっている。レーザ光出力部２７ａから出力されたライン状のレーザ光はミラー２７ｂに照射され、ミラー２７ｂによって反射されるようになっている。
【００６６】
ミラー２７ｂによって反射されたレーザ光は、レンズ１２によって熱吸収層１３ｂにおいてライン状に集束されるようになっており、熱吸収層１３ｂに照射されたレーザ光の上下方向の幅はレーザダイオードから出射されたレーザ光のスポット径よりも小さくなる。なお、レーザ光走査駆動装置２７は、本発明の空間光変調素子の駆動装置を構成している。
【００６７】
ミラー制御部２７ｃは、ミラー２７ｂの角度を変化させてレーザ光の反射角を制御し、熱書込型液晶パネル１３の上端から下端までレーザ光を走査するようになっている。このとき、熱書込型液晶パネル１３において走査速度が一定になるようミラー２７ｂの角速度をミラー制御部２７ｃが制御し、ミラー２７ｂによって反射されたレーザ光の上下方向の移動と同期して反射電極１３ｃと透明電極１３ｆ（図２参照。）との間に画像データの電圧パルスが印加され、液晶材１３ｈに画像データが記録されるようになっている。
【００６８】
なお、レーザ光走査駆動装置２７は、レーザ光走査駆動装置１１（図４参照。）よりも、記録用の光学系の構成が複雑になるが、走査時間を大幅に削減することができる。したがって、例えばリアルタイムで動画像を表示する場合にはレーザ光走査駆動装置２７を適用し、例えば数秒間で切り替わる広告画像等の表示にはレーザ光走査駆動装置１１を適用して超高精細投射型ディスプレイ１０を構成するのが好ましい。
【００６９】
次に、本実施の形態の超高精細投射型ディスプレイ１０の動作について説明する。
【００７０】
まず、レーザ光走査駆動装置１１によって、ライン状のレーザ光がレンズ１２に出力され、熱書込型液晶パネル１３上を走査される。具体的には、図４に示すように、レーザ光出力部１１ａからライン状のレーザ光が出力され、レンズ１２でレーザ光の上下方向の幅が集束されて熱書込型液晶パネル１３の記録側に照射される。レーザ光出力部１１ａは、ステージ１１ｂ上を所定の移動速度で上下方向に移動され、図２（ｃ）に示すように、記録側の上端から下端までの全記録領域にライン状のレーザ光が走査される。
【００７１】
熱書込型液晶パネル１３に照射されたレーザ光は、熱吸収層１３ｂによって熱に変換され、ライン状のレーザ光によって熱せられた液晶材１３ｈのライン状の領域は等方性液晶相に変化する。その後、レーザ光出力部１１ａの位置が移動させると、レーザ光が照射された領域が冷却され、反射電極１３ｃを共通電極として透明電極１３ｆに画像データを形成する電圧が印加されると、レーザ光が照射された領域に対応した液晶材１３ｈの領域に所定の画像を表示するための画素が形成される。
【００７２】
一方、図１に示すように、ＲＧＢ成分の３つの系列に設けられた各熱書込型液晶パネル１３の再生側には、ランプ１９から白色の再生光が照射される。具体的には、ランプ１９から出射された再生光は、ハーフミラー１８ｃを透過した後、ハーフミラー１８ｂによって、Ｒ成分系列用及びＧ成分系列用の再生光と、Ｂ成分系列用の再生光とに分離される。
【００７３】
続いて、Ｒ成分系列用の再生光は、ハーフミラー１８ａ及びミラー１７ａで反射され、カラーフィルタＲ１４を経由してＲ成分系列用の熱書込型液晶パネル１３の再生側全面に照射される。また、Ｇ成分系列用の再生光は、ハーフミラー１８ａを透過し、カラーフィルタＧ１５を経由してＧ成分系列用の熱書込型液晶パネル１３の再生側全面に照射される。また、Ｂ成分系列用の再生光は、ミラー１７ｂで反射され、カラーフィルタＢ１６を経由してＢ成分系列用の熱書込型液晶パネル１３の再生側全面に照射される。
【００７４】
熱書込型液晶パネル１３の再生側に照射された再生光は、基板１３ｅ、透明電極１３ｆ及び配向膜１３ｇを透過する（図２（ａ）参照。）。
【００７５】
そして、反射電極１３ｃと透明電極１３ｆとの間に画像データを形成する電圧が印加された状態で、レーザ光が照射された熱吸収層１３ｂの領域に対応する液晶材１３ｈの領域が冷却されると、冷却された領域の液晶分子は再生光を透過する方向に配向されるので、再生光が液晶材１３ｈの内部を透過して反射電極１３ｃによって反射され、画像を形成する光（以下「画像形成光」という。）として各熱書込型液晶パネル１３の基板１３ｅから出力される。
【００７６】
一方、再生光を透過する方向に液晶分子が配向されていない液晶材１３ｈの領域においては、再生光が散乱されて画像形成光は出力されない。
【００７７】
引き続き、各熱書込型液晶パネル１３の再生側から出力された画像形成光は、所定の光路を経由してスクリーン２１に照射され、フルカラーの動画像や静止画像がスクリーン２１に表示される。
【００７８】
具体的には、Ｒ成分系列用の熱書込型液晶パネル１３から出力された画像形成光は、図１に示すように、ミラー１７ａ及びハーフミラー１８ａで反射され、ハーフミラー１８ｂを透過した後にハーフミラー１８ｃで反射されて、レンズ２０によってスクリーン２１に投射される。また、Ｇ成分系列用の熱書込型液晶パネル１３から出力された画像形成光は、ハーフミラー１８ａ及び１８ｂを透過した後にハーフミラー１８ｃで反射されて、レンズ２０によってスクリーン２１に投射される。また、Ｂ成分系列用の熱書込型液晶パネル１３から出力された画像形成光は、ミラー１７ｂ及びハーフミラー１８ｂで反射された後、ハーフミラー１８ｃで反射されて、レンズ２０によってスクリーン２１に投射される。
【００７９】
なお、レーザ光走査駆動装置１１を用いた構成で超高精細投射型ディスプレイ１０の動作を説明したが、レーザ光走査駆動装置１１に代えてレーザ光走査駆動装置２７を適用すれば走査速度を更に高速化することができ、リアルタイムでの動画表示が可能となる。
【００８０】
以上のように、本実施の形態の超高精細投射型ディスプレイ１０によれば、熱書込型液晶パネル１３は、ベタ状の反射電極１３ｃ、ストライプ状の透明電極１３ｆ及び液晶材１３ｈを含み、レーザ光走査駆動装置１１は、ストライプ状の透明電極１３ｆの延在方向と略直交する方向に記録用のレーザ光をライン状に集束させて熱書込型液晶パネル１３の記録側を走査して画像データを液晶材１３ｈに記録し、ランプ１９は、熱書込型液晶パネル１３の再生側を照射して画像を再生する構成としたので、ラスタ走査する従来のものよりも低コストで高速に超高精細画像を表示することができる。
【００８１】
なお、前述の実施の形態において、透明電極１３ｆのストライプの形状を上下方向とした構成を例に挙げて説明したが、本発明はこれに限定されるものではなく、透明電極１３ｆのストライプの形状を左右方向とした構成としても同様の効果が得られる。この場合、レーザ光走査駆動装置１１は、左右方向にレーザ光を走査するように構成すればよい。
【００８２】
また、前述の実施の形態において、反射電極１３ｃをベタ状で形成し、透明電極１３ｆをストライプ状で形成した構成を例に挙げて説明したが、本発明はこれに限定されるものではなく、反射電極１３ｃをストライプ状で形成し、透明電極１３ｆをベタ状で形成した構成としても同様の効果が得られる。
【００８３】
また、前述の実施の形態において、カラーフィルタＲ１４、カラーフィルタＧ１５及びカラーフィルタＢ１６を用いる例を挙げて説明したが、本発明はこれに限定されるものではなく、これらのカラーフィルタに代えて例えばダイクロイックミラーを用いる構成としても同様の効果が得られる。このダイクロイックミラーは、可視光のうち特定波長の光を反射し、特定波長以外の光を透過することによって、入射された白色光を赤色、緑色及び青色に色分解するミラーである。
【００８４】
また、前述の実施の形態において、フルカラーの画像を表示するためにＲＧＢ成分の３つの系列で記録用及び再生用の光路を構成する例を挙げて説明したが、本発明はこれに限定されるものではなく、例えばＲＧＢ成分以外の複数の色成分で複数の記録用及び再生用の光路を構成してもよいし、記録用及び再生用の光路を１つとしてもよい。
【００８５】
（第２の実施の形態）
まず、本発明の第２の実施の形態のディスプレイの構成について説明する。なお、本発明のディスプレイをホログラフィックディスプレイに適用する例を挙げて説明する。ここでホログラフィックディスプレイとは、３次元像を表示することができるディスプレイをいう。
【００８６】
図６に示すように、本実施の形態のホログラフィックディスプレイ３０は、ＲＧＢ成分の３つの系列毎に設けられ、画像記録用のレーザ光を出射するレーザ光走査駆動装置３１と、レーザ光を集束するレンズ３２と、レーザ光による画像が記録される熱書込型液晶パネル３３と、ハーフミラー３４ａ〜３４ｃと、熱書込型液晶パネル３３に記録された画像を再生するためのレーザ光を出射するレーザＲ３５、レーザＧ３６及びレーザＢ３７と、レンズ３８と、スクリーン３９とを備えている。
【００８７】
なお、以下の説明において、ＲＧＢ成分の３つの系列毎に設けられた各レーザ光走査駆動装置３１から出射されるレーザ光を記録用レーザ光といい、レーザＲ３５、レーザＧ３６及びレーザＢ３７から出射されるレーザ光を再生用レーザ光という。また、本発明の第１の実施の形態に係る超高精細投射型ディスプレイ１０の構成の説明と重複する説明は省略又は略記する。
【００８８】
レーザ光走査駆動装置３１は、前述したレーザ光走査駆動装置１１（図４参照。）又はレーザ光走査駆動装置２７（図５参照。）と同様な構成となっており、レンズ３２を介してライン状のレーザ光を熱書込型液晶パネル３３に照射するようになっている。なお、レーザ光走査駆動装置３１及びレンズ３２は、本発明の空間光変調素子の駆動装置を構成している。
【００８９】
熱書込型液晶パネル３３は、前述した熱書込型液晶パネル１３（図２参照。）と同様な構成となっているので図示を省略し、熱書込型液晶パネル１３の構成と対応する符号を付して説明するものとする。すなわち、熱書込型液晶パネル３３は、記録用レーザ光が入射される側に設けられた透光性を有する基板３３ａと、基板３３ａ上に形成された熱吸収層３３ｂと、熱吸収層３３ｂ上に形成された反射電極３３ｃと、反射電極３３ｃ上に形成された配向膜３３ｄと、再生光が入射される側に設けられた透光性を有する基板３３ｅと、基板３３ｅ上に形成されたストライプ状の透明電極３３ｆと、透明電極３３ｆ上に形成された配向膜３３ｇと、配向膜３３ｄと配向膜３３ｇとに挟まれた液晶材３３ｈとを備えている。なお、熱書込型液晶パネル３３は、本発明の空間光変調素子を構成している。
【００９０】
また、透明電極３３ｆを構成するストライプ状に形成された複数のデータ電極には、例えば複数の視点で撮影された２次元画像のデータからＣＧＨ（Ｃｏｍｐｕｔｅｒ  Ｇｅｎｅｒａｔｅｄ  Ｈｏｌｏｇｒａｍ）により作成された画像データ（以下「ホログラム画像データ」という。）の電圧が印加されるようになっている。
【００９１】
なお、熱書込型液晶パネル３３に代えて光書込型液晶パネル２５（図３参照。）で本実施の形態のホログラフィックディスプレイ３０を構成してもよい。
【００９２】
ハーフミラー３４ａ〜３４ｃは、熱書込型液晶パネル３３に対して入出力される光を反射又は透過するようになっている。
【００９３】
レーザＲ３５、レーザＧ３６及びレーザＢ３７は、それぞれ、赤色、緑色及び青色の再生用レーザ光を出力する半導体レーザダイオード、ロッドレンズ等を備え、各色のコヒーレント光を出力するようになっている。なお、レーザ光は、半導体レーザに限定されるものではなく、例えばガスレーザ、固体レーザ等でもよい。また、レーザＲ３５、レーザＧ３６及びレーザＢ３７は、本発明の光生成装置を構成している。
【００９４】
レンズ３８は、ＲＧＢ成分の３つの系列毎に設けられており、レーザＲ３５、レーザＧ３６及びレーザＢ３７から出射された再生用レーザ光をそれぞれ拡大し、ハーフミラー３４ａ〜３４ｃを透過させて熱書込型液晶パネル３３の再生側の全面に入射させるようになっている。したがって、熱書込型液晶パネル３３の再生側の全面にＲＧＢのコヒーレント光が入射されることになる。
【００９５】
スクリーン３９は、熱書込型液晶パネル３３の再生側から出力され、ハーフミラー３４ａ〜３４ｃによって反射されたＲＧＢの画像を表示するようになっている。
【００９６】
次に、本実施の形態のホログラフィックディスプレイ３０の動作について説明する。なお、本発明の第１の実施の形態に係る超高精細投射型ディスプレイ１０の動作の説明と重複する説明は省略又は略記する。
【００９７】
まず、レーザ光走査駆動装置３１によって、ライン状の記録用レーザ光がレンズ３２に出力され、記録用レーザ光の上下方向の幅が集束された状態で、熱書込型液晶パネル３３の記録側の上端から下端までの全記録領域にライン状の記録用レーザ光が走査される。
【００９８】
熱書込型液晶パネル３３に照射された記録用レーザ光は、熱吸収層３３ｂによって熱に変換され、ライン状の記録用レーザ光によって熱せられた液晶材３３ｈのライン状の領域は等方性液晶相に変化する。その後、記録用レーザ光の照射位置が移動されて記録用レーザ光が照射された領域が冷却され、反射電極３３ｃを共通電極として透明電極３３ｆに例えばＣＧＨにより作成されたホログラム画像データの電圧が印加されると、記録用レーザ光が照射された領域に対応した液晶材３３ｈの領域に所定の画像を表示するための画素が形成される。
【００９９】
一方、図６に示すように、ＲＧＢ成分の３つの系列に設けられた各熱書込型液晶パネル３３の再生側には、レーザＲ３５、レーザＧ３６及びレーザＢ３７によって、それぞれ、赤色、緑色及び青色のコヒーレント光が熱書込型液晶パネル３３の再生側全面に照射される。
【０１００】
具体的には、Ｒ成分系列においては、レーザＲ３５から出射された赤色の再生用レーザ光は、レンズ３８によって拡大された後、ハーフミラー３４ａを透過してＲ成分系列用の熱書込型液晶パネル３３の再生側全面に照射される。また、Ｇ成分系列においては、レーザＧ３６から出射された緑色の再生用レーザ光は、レンズ３８によって拡大された後、ハーフミラー３４ｂを透過してＧ成分系列用の熱書込型液晶パネル３３の再生側全面に照射される。また、Ｂ成分系列においては、レーザＢ３７から出射された青色の再生用レーザ光は、レンズ３８によって拡大された後、ハーフミラー３４ｃを透過してＢ成分系列用の熱書込型液晶パネル３３の再生側全面に照射される。
【０１０１】
熱書込型液晶パネル３３の再生側に照射された各色の再生用レーザ光は、基板３３ｅ、透明電極３３ｆ及び配向膜３３ｇを透過する。
【０１０２】
そして、再生用レーザ光を透過する方向に液晶分子が配向されている液晶材３３ｈの領域においては、再生用レーザ光が液晶材３３ｈの内部を透過して反射電極３３ｃによって反射される。一方、再生用レーザ光を透過する方向に液晶分子が配向されていない液晶材３３ｈの領域においては、再生用レーザ光が散乱される。光の透過と非透過とにより光が干渉してホログラム画像を形成する光（以下「ホログラム画像形成光」という。）が各熱書込型液晶パネル３３の基板３３ｅから出力される。
【０１０３】
引き続き、各熱書込型液晶パネル３３の再生側から出力された各色のホログラム画像形成光は、ハーフミラー３４ａ〜３４ｃによって、各色のホログラム画像形成光がスクリーン３９上の同一点で結像するよう反射される。そして、スクリーン３９において、フルカラーの立体的な動画像や静止画像が表示される。
【０１０４】
以上のように、本実施の形態のホログラフィックディスプレイ３０によれば、熱書込型液晶パネル３３は、ベタ状の反射電極３３ｃ、ストライプ状の透明電極３３ｆ及び液晶材３３ｈを含み、レーザ光走査駆動装置３１は、ストライプ状の透明電極３３ｆの延在方向と略直交する方向に記録用のレーザ光をライン状に集束させて熱書込型液晶パネル３３の記録側を走査してホログラム画像データを液晶材３３ｈに記録し、レーザＲ３５、レーザＧ３６及びレーザＢ３７は、それぞれ、熱書込型液晶パネル３３の再生側を照射してホログラム画像を再生する構成としたので、ラスタ走査する従来のものよりも低コストで高速に立体的な超高精細画像を表示することができる。
【０１０５】
具体的には、熱書込型液晶パネル３３の記録側における上端から下端までの１フレームの記録時間で従来のものと比較すると次のような効果が得られる。例えば、熱書込型液晶パネル３３の記録側の左右方向の長さを４ｃｍ、左右方向の画素ピッチを２μｍとした場合、本実施の形態のホログラフィックディスプレイ３０による１フレームの記録時間は、文献「Ｔ．Ｉｎｏｕｅ  ａｎｄ  Ｓ．Ｍｉｋｏｓｈｉｂａ，"Ｈｉｇｈ  Ｄｅｎｓｉｔｙ  Ｒｅｃｏｒｄｉｎｇ  ｏｎ  Ｔｈｅｒｍａｌｌｙ  Ａｄｄｒｅｓｓａｂｌｅ  Ｌｉｑｕｉｄ  Ｃｒｙｓｔａｌ  ｆｏｒ  Ｔｈｒｅｅ−Ｄｉｍｅｎｓｉｏｎａｌ  Ｈｏｌｏｇｒａｐｈｉｃ  Ｄｉｓｐｌａｙ"，Ｊａｎ．  Ｊ．Ａｐｐｌ．Ｐｈｙｓ．，Ｖｏｌ．３８，Ｎｏ．１２Ａ，ｐｐ．６５７５−６７６１，１９９９」に示されているラスタ走査による１フレームの記録時間の２００００分の１にすることができる。
【図面の簡単な説明】
【０１０６】
【図１】本発明の第１の実施の形態に係る超高精細投射型ディスプレイの構成図
【図２】（ａ）本発明の第１の実施の形態に係る熱書込型液晶パネルの断面図  （ｂ）本発明の第１の実施の形態に係る熱書込型液晶パネルの透明電極を再生側から見た模式図  （ｃ）本発明の第１の実施の形態に係る熱書込型液晶パネルの記録側にレーザ光が照射される状態を表した模式図
【図３】本発明の第１の実施の形態の他の態様に係る光書込型液晶パネルの断面図
【図４】本発明の第１の実施の形態に係るレーザ光走査駆動装置の斜視図
【図５】（ａ）本発明の第１の実施の形態の他の態様に係るレーザ光走査駆動装置の画面上部の走査時の断面図  （ｂ）本発明の第１の実施の形態の他の態様に係るレーザ光走査駆動装置の画面下部の走査時の断面図  （ｃ）本発明の第１の実施の形態の他の態様に係るレーザ光走査駆動装置を上部から見た断面図
【図６】本発明の第２の実施の形態に係るホログラフィックディスプレイの構成図
【図７】従来の熱書込型液晶パネルの断面図
【符号の説明】
【０１０７】
１０  超高精細投射型ディスプレイ
１１、２７、３１  レーザ光走査駆動装置（空間光変調素子の駆動装置）
１１ａ、２７ａ  レーザ光出力部（光出力部）
１１ｂ  ステージ（光出力移動部）
１２、３２  レンズ（光集束部、空間光変調素子の駆動装置）
１３、３３  熱書込型液晶パネル（空間光変調素子）
１３ａ、２５ａ  基板（第１基板）
１３ｂ  熱吸収層
１３ｃ  反射電極（第１電極）
１３ｄ、１３ｇ、２５ｅ、２５ｈ  配向膜
１３ｅ、２５ｆ  基板（第２基板）
１３ｆ、２５ｇ  透明電極（第２電極）
１３ｈ、２５ｉ  液晶材
１４  カラーフィルタＲ
１５  カラーフィルタＧ
１６  カラーフィルタＢ
１７ａ、１７ｂ  ミラー
１８ａ〜１８ｃ、３４ａ〜３４ｃ  ハーフミラー
１９  ランプ（光生成装置）
２０、３８  レンズ
２１、３９  スクリーン
２５  光書込型液晶パネル（空間光変調素子）
２５ｂ  透明電極（第１電極）
２５ｃ  光導電層
２５ｄ  光反射膜
２７ｂ  ミラー
２７ｃ  ミラー制御部
３０  ホログラフィックディスプレイ
３５  レーザＲ（光生成装置）
３６  レーザＧ（光生成装置）
３７  レーザＢ（光生成装置）
【図１】
2007163623.tif 000003
【図２】
2007163623.tif 000004
【図３】
2007163623.tif 000005
【図４】
2007163623.tif 000006
【図５】
2007163623.tif 000007
【図６】
2007163623.tif 000008
【図７】
2007163623.tif 000009